(57)【要約】【課題】簡単な構成でユーザの健康データを複数の医療機関で共有することを可能とする健康データ管理システム及びその方法を提供する。。【解決手段】  ユーザ２１−１〜２１−ｓは、健康診断表を健康管理組織に郵送し、健康データＤＡＴＡとして管理させる。健康データ管理システムを１３は、端末装置２３＿１〜２３＿ｓ，医療機関３１−１，３１−２の端末装置３３−１，３３−２からの要求に応じて、当該要求のアクセス条件を確認した後に、健康データＤＡＴＡのうち許諾された範囲を送信する。【選択図】図１
2015195027.tif 000002
【特許請求の範囲】
【請求項１】
ユーザの健康データを取得する健康データ取得部と、
前記健康データ取得部で取得した前記健康データを検索可能な形式で記憶する記憶手段と、
前記ユーザからの指示に応じて、前記記憶手段に記憶された前記健康データへのアクセス条件を決定する決定部と、
要求に応じて、要求元の前記アクセス条件を確認し、前記要求元が前記アクセス条件を満たすか否かを判定する判定部と、
前記アクセス要件を満たすと判断した場合に、前記健康データを前記ユーザあるいは前記要求元に送信する送信部と
を有する健康データ管理システム。
【請求項２】
前記健康データは、前記ユーザの健康診断データ、前記ユーザが服用する薬歴データ、前記ユーザの既往歴データの少なくとも一つである
請求項１に記載の健康データ管理システム。
【請求項３】
前記健康データ取得部は、ユーザから取得した紙媒体をスキャンして前記健康データを生成する
請求項１または請求項２に記載の健康データ管理システム。
【請求項４】
前記送信部は、前記ユーザに前記健康データを送信する際に、当該健康データに関連付けて、当該健康データの属性に関連付けられた商品又はサービスの広告データを付加して送信する
請求項１〜３のいずれかに記載の健康データ管理システム。
【請求項５】
請求項１〜４のいずれかに記載の健康データ管理システムと、
前記健康データ管理システムからの前記健康データを受信し、当該受信した健康データを基に、前記ユーザの保険料を算定する保険料算定システムと
を有する保険システム。
【請求項６】
前記健康データ管理システムは、
前記ユーザが携帯する携帯機器が測定した前記ユーザの人体に関する測定データを取得する測定情報取得部
をさらに有し、
前記送信部は、前記アクセス要件を満たすと判断した場合に、前記測定データを保険料算定システムに送信し、
前記保険料算定システムは、
前記健康データが所定の要件を満たしたことを条件に、前記測定データをさらに用いて、前記保険料を算定を行う
請求項５に記載の保険システム。
【請求項７】
ユーザの健康データをコンピュータが取得する第１の工程と、
前記第１の工程で取得した前記健康データを検索可能な形式で記憶手段に記憶する第２の工程と、
前記ユーザからの指示に応じて、前記記憶手段に記憶された前記健康データへのアクセス条件をコンピュータが決定する第３の工程と、
要求に応じて、要求元の前記アクセス条件をコンピュータが確認し、前記要求元が前記アクセス条件を満たすと判断した場合に、前記健康データを前記ユーザあるいは前記要求元にコンピュータが送信する第４の工程と
を有する健康データ管理方法。
【発明の詳細な説明】
【技術分野】
【０００１】
本発明は、ユーザの健康データを共有できる健康データ管理システム、その方法及び保険システムに関するものである。
【背景技術】
【０００２】
昨今、医療の進歩に伴う医療費の高騰が、我が国の超少子高齢化に伴い、現役世代の負担増が社会問題となっている。その原因の一つが「重複診療」で、ある病気で、同時に複数の医療機関にかかることである。初めにかかった医師の診断や治療に納得できなくて別の医師を訪れる人たり、同じ検査を繰り返し受け、いたずらに国民医療費を増やしていく。それは、他の医療機関での検査結果を、次の医療機関も閲覧できることで解決していく。そこで、各医療機関で得たデータをセキュリティーの担保があるクラウドシステムに統合することにより、重複診療における医療費高騰が防げると考える。
このような背景のもと、最近では、健康データの共有を目指して、大規模なシステム開発が行われている。
【発明の概要】
【発明が解決しようとする課題】
【０００３】
しかしながら、上述した大規なシステムを用いると、価格コストと時間がかかり、事業としての成立が難しいという問題がある。
【０００４】
本発明はかかる事情に鑑みてなされたものであり、その目的は、簡単な構成でユーザの健康データを複数の医療機関で共有することを可能とする健康データ管理システム、その方法及び保険システムを提供することにある。
【課題を解決するための手段】
【０００５】
本発明は、上述した従来技術の問題に鑑みてなされ、ユーザの健康データを取得する健康データ取得部と、前記健康データ取得部で取得した前記健康データを検索可能な形式で記憶する記憶手段と、前記ユーザからの指示に応じて、前記記憶手段に記憶された前記健康データへのアクセス条件を決定する決定部と、要求に応じて、要求元の前記アクセス条件を確認し、前記要求元が前記アクセス条件を満たすか否かを判定する判定部と、前記アクセス要件を満たすと判断した場合に、前記健康データを前記ユーザあるいは前記要求元に送信する送信部とを有する。
【０００６】
好適には、本発明の健康データ管理システムの前記健康データは、前記ユーザの健康診断データ、前記ユーザが服用する薬歴データ、前記ユーザの既往歴データの少なくとも一つである。
【０００７】
好適には、本発明の健康データ管理システムの前記第１の工程は、ユーザから取得した紙媒体をスキャンして前記健康データを生成する。
【０００８】
好適には、本発明の健康データ管理システムの前記第４の工程は、前記ユーザに前記健康データを送信する際に、当該健康データに関連付けて、当該健康データの属性に関連付けられた商品又はサービスの広告データを付加して送信する。
【０００９】
また、本発明の保険システムは、上述した健康データ管理システムと、前記健康データ管理システムからの前記健康データを受信し、当該受信した健康データを基に、前記ユーザの保険料を算定する保険料算定システムとを有する。
【００１０】
本発明の健康データ管理方法は、ユーザの健康データをコンピュータが取得する第１の工程と、前記第１の工程で取得した前記健康データを検索可能な形式で記憶手段に記憶する第２の工程と、前記ユーザからの指示に応じて、前記記憶手段に記憶された前記健康データへのアクセス条件をコンピュータが決定する第３の工程と、要求に応じて、要求元の前記アクセス条件をコンピュータが確認し、前記要求元が前記アクセス条件を満たすと判断した場合に、前記健康データを前記ユーザあるいは前記要求元にコンピュータが送信する第４の工程とを有する。
【発明の効果】
【００１１】
本発明は、簡単な構成でユーザの健康データを複数の医療機関で共有することを可能とする健康データ管理システム、その方法及び保険システムを提供することができる。
【図面の簡単な説明】
【００１２】
【図１】図１は、本発明の実施形態に係る健康データ管理システムを説明するための図である。
【図２】図２は、図１に示す健康データ管理システムを１３の機能ブロック図である。
【図３】図３は、図２に示すプロセッサが実現する機能を説明するための図である。
【図４】図４は、図１及び図２に示す健康データ管理システムをの動作例を説明するためのフローチャートである。
【発明を実施するための形態】
【００１３】
図１は、本発明の実施形態に係る健康データ管理システムを説明するための図である。
図１に示すように、健康データ管理システムを１３は、健康管理組織１１によって運営されている。
健康データ管理システムを１３は、ユーザ２１−１〜２１−ｓの端末装置２３−１〜２３−ｓと、医療機関３１−１〜３１−ｔの端末装置３３−１〜３３−ｔと通信を行う。
医療機関３１−１，３１−２は、例えば、病院、診療所、検査機関等である。
ｓ，ｔは１以上の整数である。
【００１４】
ユーザ２１−１〜２１−ｓは、自らの健康データＤＡＴＡを、自らの端末装置２３−１〜２３−ｓを使って健康データ管理システムを１３に送信する。
このとき、ユーザ２１は、例えば、健康診断表をカメラで撮像して、その画像データを端末装置２３から健康データ管理システムを１３に送信する。また、ユーザ２１は、端末装置２３を使って健康データ管理システムを１３にアクセスして、健康データ管理システムを１３が表示する健康データＤＡＴＡの入力画面上で健康データを入力してもよい。さらには、ユーザ２１−１〜２１−ｓは、健康診断表を健康管理組織１１に郵送してもよい。
【００１５】
健康データ管理システム１３は、ユーザ２あるいは端末装置２３から取得した健康データＤＡＴＡを管理し、アクセス要求に応じて、所定の条件を満たすと、当該健康データＤＡＴＡを医療機関３１−１，３１−２に提供する。
【００１６】
図２は、図１に示す健康データ管理システムを１３の機能ブロック図である。
図２に示すように、健康データ管理システムを１３は、ディスプレイ５３、操作部５５、インタフェース５７、メモリ５９、プロセッサ６１及びデータベース６３は、データライン５０を介して接続されている。
ディスプレイ５３は、プロセッサ５１の処理結果等を表示する。
操作部５５は、キーボード、マウス、タッチパネル等の操作手段であり、健康管理組織１１の管理者の操作に応じた操作信号をプロセッサ６１に出力する。
インタフェース５７は、端末装置２３−１〜２３−ｓ及び外部装置との間でデータの入出力を行う。
メモリ５９は、プロセッサ６１が実行するプログラム、並びに処理回路５１の処理に使われるデータや処理結果のデータを記憶する。
【００１７】
データベース６３は、端末装置２３−１〜２３−ｓから送信された健康データＤＡＴＡ、あるいはユーザ２１−１〜２１−ｓから健康管理組織１１に郵送等され、スキャンして得られた健康データＤＡＴＡをインタフェース５７を介して入力して記憶する。上記スキャンされた健康データは、ＯＣＲ等で自動文字認識されてテキストデータとしても使用できるようにしてもよい。
また、データベース６３に記憶される健康データＤＡＴＡは、ユーザ２１の許諾を得て、医療機関３１−１，３１−２の端末装置３３−１，３３−２から直接受信したものでもよい。
【００１８】
プロセッサ６１は、上記プログラムを実行し、本実施形態で説明する各種の処理を実行する。
図３は、プロセッサ６１の機能ブロックである。
健康データ取得部７１は、上述した健康データＤＡＴＡを、メモリ５９に記憶する処理を行う。
決定部７３は、ユーザ２１−１〜２１−ｓからの指示に応じて、データベース６３に記憶された健康データＤＡＴＡへのアクセス条件を決定し、当該アクセス条件を示すアクセス条件データをデータベース６３に記憶する。
当該アクセス条件は、例えば、健康データＤＡＴＡが示す項目毎に、アクセス権限を規定してもよい。アクセス権限としては、アクセス可能なアクセス要求元の属性、期間等である。
【００１９】
判定部７５は、ユーザ２１−１〜２１−ｓの端末装置２３−１〜２３−ｓや、医療機関３１−１〜３１−ｔの端末装置３３−１〜３３−ｔから健康データＤＡＴＡへのアクセス要求を受けると、当該アクセス要求に含まれる情報を基に、当該アクセス要求が、当該健康データＤＡＴＡへのアクセス条件を満たしているか否かを、データベース６３から読み出したアクセス条件データを参照して判断する。
判定部７５は、アクセス要求が上記アクセス要求を満たしていると判断すると、当該健康データＤＡＴＡをアクセス要求元の端末装置２３−１〜２３−ｓあるいは端末装置３３−１〜３３−ｔに送信する。
【００２０】
測定情報取得部７７は、端末装置２３−１〜２３−ｓ内のセンサが測定したユーザ２１−１〜２１−ｓの人体に関する測定データを、インタフェース５７を介して入力してメモリ５９に記憶する。当該測定データは、例えば、人体に関する血圧、脈発、体温などのデータである。測定データの取得には、端末装置２３−１〜２３−ｓにダウンロードされたライフログ・アプリ等が用いられる。
判定部７５は、アクセス要求が上記アクセス要求を満たしていると判断すると、当該測定データをアクセス要求元の端末装置２３−１〜２３−ｓあるいは端末装置３３−１〜３３−ｔに送信する。
【００２１】
以下、本実施形態の健康データＤＡＴＡについて説明する。
健康データＤＡＴＡは、ユーザ２１−１〜２１−ｓの健康診断データ、当該ユーザが服用する薬歴データ、当該ユーザの既往歴データの少なくとも一つである。
具体的には、健康データＤＡＴＡは、以下のデータである。
【００２２】
・  人間ドック、健康診断データと受診した病院からもらう電子カルテ等のデータ（画像検査を含む）
血液検査、心電図、各種画像検査（CT、MRI、レントゲン写真、内視鏡など）
・  お薬手帳の写真、薬の写真から得た薬剤データ
・  入退院履歴および既往症履歴
・健康に関係するあらゆる生活履歴情報
・血圧、体重などの身体情報、歩数計
・チェックイン情報
・名刺、ショップカード、食事内容、（お菓子などの）バーコードデータ
・リビングウィル（生前遺言）  
・万が一のときのＳＮＳ停止サービス
【００２３】
以下、健康データ管理システムを１３の動作例を説明する。
図４は、図１及び図２に示す健康データ管理システムを１３の動作例を説明するためのフローチャートである。
ステップＳＴ１：
【００２４】
ユーザ２１−１〜２１−ｓは、医療機関３１−１，３１−２等で受け取った健康診断表をカメラで撮像し、あるいはスキャン装置を使ってスキャンし、その画像データを端末装置２３から健康データ管理システムを１３に送信する。また、ユーザ２１は、端末装置２３を使って健康データ管理システムを１３にアクセスして、健康データ管理システムを１３が表示する健康データの入力画面上で健康データを入力してもよい。さらには、ユーザ２１−１〜２１−ｓは、健康診断表を健康管理組織１１に郵送してもよい。
健康データ取得部７１に制御により、これにより、ユーザ２１−１〜２１−ｓの健康データＤＡＴＡが、図２に示す健康データ管理システムを１３のデータベース６３に格納される。
【００２５】
ステップＳＴ２：
健康データ管理システム１３の判定部７５が、端末装置２３−１〜２３−ｓあるいは端末装置３３−１，３３−２から健康データＤＡＴＡへのアクセス要求を受けると、当該アクセス要求に含まれる情報を基に、当該アクセス要求が、当該健康データＤＡＴＡへのアクセス条件を満たしているか否かを、データベース６３から読み出したアクセス条件データを参照して判断する。当該アクセス条件としては、例えば、端末装置２３−１〜２３−ｓ及び端末装置３３−１，３３−２の装置固有ＩＤ、パスワード、生体情報等を利用してもよい。また、ユーザ２１−１〜２１−ｓ及び医療機関３１−１，３１−２に予めＩＣチップを配布し、端末装置２３−１〜２３−ｓ及び端末装置３３−１，３３−２とＩＣチップとの間で近距離無線通信をして認証を行うようにしてもよい。
【００２６】
ステップＳＴ３：
健康データ管理システムを１３は、ステップＳＴ２でアクセス要求が上記アクセス要求を満たしていると判断すると、ステップＳＴ４に進む。アクセス要求を満たさないと判断した場合は、処理を終了する。
【００２７】
ステップＳＴ４：
健康データ管理システムを１３のインタフェース５７は、アクセス要求元の端末装置２３−１〜２３−ｓあるいは端末装置３３−１〜３３−ｔおよび保険料算定システム４３に健康データＤＡＴＡのうち許諾された範囲を送信する。
【００２８】
本実施形態の保険システムは、健康データ管理システム１３と保険料算定システム４３とを有する。
保険料算定システム４３は、保険会社４１が管理し、健康データ管理システム１３から受信した健康データＤＡＴＡを基に保険料の算定を行う。
例えば、健康データＤＡＴＡが示す健康診断データ、薬歴データ、既往歴データ等を組み合わせて保険料を算定を行う。これにより保険料算定を多様な観点から行うことができ、各ユーザに適合した適切な保険を提供できる。
また、保険料算定システム４３は、健康データ管理システム１３から測定データを受信した場合には、当該測定データをさらに用いて保険料を算出する。
【００２９】
このとき、保険料算定システム４３は、健康データについて予め一定の基準を満たしたことを条件に、さらに測定データを用いて保険料の算定を行う。
例えば、保険料算定システム４３は、健康データを基に、ユーザに特定の疾病がある場合に、その疾病が、測定データで示される特定の測定値が一定の条件を満たす場合に疾病が治るという統計がある場合に、予め決められた範囲内に算定保険料を下げる処理を行う。
ここで、保険料算定システム４３は、予め健康データが示す健康属性と、測定データが示す測定属性とを関連づけ、関連付けられた測定属性の値に応じて健康属性の評価値を算出し、当該評価値を基に算定保険料を算出する。
【００３０】
上述したように、健康データ管理システムを１３を用いることで、これまで一元管理されていなかったユーザ２１の健康データを一元管理し、活用することができる。これにより、複数の医療機関において重複した検査や診察が行われることをなくし、無駄な医療費と時間を削減できる。すなわち、ユーザ２１−１〜２１−ｓの自宅に埋もれている健康診断や人間ドックのデータもクラウドシステムに統合すれば、政府が目指している診療データの共有が手軽にできる。
【００３１】
また、上述した本実施形態の保険システムでは、健康データ管理システム１３と保険料算定システム４３とが連携することで、個々のユーザ２１に適した保険を作成でき、ユーザ２１及び保険会社４１の双方にメリットがある。特に、測定データを保険料算定に使うことで、ユーザ２１が日々の生活において自らの運動力等を把握でき、健康的な生活をするための強いインセンティブを与えることができる。
【００３２】
また、健康データ管理システムを１３によれば、ユーザ２１−１〜２１−ｓが過去の自らの健康データＤＡＴＡを容易に利用することができ、健康意識を高めることができる。
【００３３】
また、健康データ管理システムを１３によれば、医療機関３１−１，３１−２が、他の医療機関が行った検査や診察の結果を、ユーザ２１の許可を得て利用することができ、点ではなく線で診療ができる。その結果、誤診率を低下できる。
【００３４】
また、健康データ管理システムを１３は、上述したように非常に簡単な構成であるため、低価格な利用料金の実現が可能であり、サービスとしての普及が期待できる。
【００３５】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、健康データ管理システムを１３は、端末装置２３−１〜２３−ｓ及び端末装置３３−１，３３−２に健康データＤＡＴＡを配信する際に、ユーザ２１−１〜２１−ｓ及び医療機関３１−１，３１−２の属性、あるいは健康データＤＡＴＡの内容に関連ｄ受けられた商品又はサービスの広告データを付加して送信してもよい。
【産業上の利用可能性】
【００３６】
本発明は、健康データを共有するシステムに適用可能である。
【符号の説明】
【００３７】
１１…健康管理組織
１３…健康データ管理システム
４３…保険料算定システム
２１−１〜２１−ｓ…ユーザ
３１−１〜３１−ｔ…医療機関
２３−１〜２３−ｓ，３３−１〜３３−ｔ…端末装置
【図１】
2015195027.tif 000003
【図２】
2015195027.tif 000004
【図３】
2015195027.tif 000005
【図４】
2015195027.tif 000006